(57)【要約】【課題】エレベータ乗場に火災の煙が流れ込み、その煙を吸わないように避難しようとする人が低い姿勢をとるときでも、その低い姿勢のままかご呼びの操作を行なうことができるエレベータ乗場の操作装置を提供する。【解決手段】建屋のエレベータ乗場１には、かご呼びボタンを備える通常の乗場操作盤１１ａ，１１ｂとは別に、その乗場操作盤１１ａ，１１ｂよりも下方で、エレベータ乗場１の床面の近傍の高さ位置に非常用操作盤１５が設けられ、この非常用操作盤１５に少なくともかご呼びボタン１６が設けられている。非常用操作盤１５には、かご呼びボタン１６と併せて、かごの移動状況や避難用の情報などを表示するインジケータ１７を設けることが可能である。【選択図】    図１
2012035972.tif 000002
【特許請求の範囲】
【請求項１】
建屋のエレベータ乗場に設けられ、かご呼びボタンを備える通常の乗場操作盤とは別に、その乗場操作盤よりも下方で、前記エレベータ乗場の床面の近傍の高さ位置に配置される非常用操作盤を備え、前記非常用操作盤に少なくともかご呼び用の操作部が設けられていることを特徴とするエレベータ乗場の操作装置。
【請求項２】
前記非常用操作盤には、前記かご呼び用の操作部と併せて、避難用の情報を表示することが可能な情報表示部が設けられていることを特徴とする請求項１に記載のエレベータ乗場の操作装置。
【請求項３】
前記エレベータ乗場には、前記非常用操作盤と併せて、避難用の情報を音声により報知することが可能な報知手段が設けられていることを特徴とする請求項１又は２に記載のエレベータ乗場の操作装置。
【請求項４】
前記エレベータ乗場の床面には、前記かご呼び用の操作部に対する操作に応じてかごが前記エレベータ乗場に到着した際に、その到着を振動動作により報知することが可能な振動部が設けられていることを特徴とする請求項１乃至３のいずれかに記載のエレベータ乗場の操作装置。
【請求項５】
前記エレベータ乗場の非常用操作盤におけるかご呼び用の操作部が操作されたときに、かごをそのエレベータ乗場に移動させ、その後にそのかごを自動的にそのエレベータ乗場から離れる避難階に移動させる誘導用の制御を行なう制御手段を備えることを特徴とする請求項１乃至４に記載のエレベータ乗場の操作装置。
【請求項６】
前記エレベータ乗場の非常用操作盤におけるかご呼び用の操作部が操作され、かごが前記エレベータ乗場に到着する際に、前記報知手段及び振動部を動作させる報知用の制御を行なう制御手段を備えることを特徴とする請求項１乃至５に記載のエレベータ乗場の操作装置。
【発明の詳細な説明】
【技術分野】
【０００１】
この発明の実施形態は、建屋の各階のエレベータ乗場に設けられる操作装置に関する。
【背景技術】
【０００２】
建屋の各階のエレベータ乗場には、エレベータのかごに対して乗客が乗り降りするための乗降口が設けられている。各階の乗降口の周辺部には乗場操作盤が設けられ、その操作盤にエレベータ乗場の階床にかごを呼ぶためのかご呼びボタンが配設されている。また、乗降口の周辺部には、かごの現在位置や移動方向を表示するためのインジケータが設けられている。
【０００３】
エレベータ乗場で乗客が操作盤のかご呼びボタンを操作すると、かごの運行を制御する制御盤にそのかご呼びの指令が登録され、かごがそのエレベータ乗場に移動するように制御される。このとき、インジケータにはかごの現在位置や移動方向が表示される。そしてかごがそのエレベータ乗場に到着し、着床したときに乗降口のドア装置が開き、かごへの乗り込みが可能となる。
【０００４】
乗場操作盤やインジケータは、乗客が操作したり目視しやすいように、エレベータ乗場の床面から比較的高い位置に配設されている。また、車いす利用の乗客が操作する専用の操作盤が一般用の操作盤と別に設けられる場合もあるが、その車いす専用の操作盤も一般用よりも下方の位置ではあるが床面からは比較的大きく離れた高い位置に配設されている。
【先行技術文献】
【特許文献】
【０００５】
【特許文献１】特開２００９−１７３３８１号公報
【発明の概要】
【発明が解決しようとする課題】
【０００６】
ところで、建屋のある階で火災が発生したときには、その階の人は一般的には非常階段を使用して他の階に避難する。しかしながら、非常階段の付近で火災が発生した場合には非常階段を使用できない。非常階段はエレベータとは逆の方向となる位置に設置されているのが普通であり、したがって非常階段付近が火災発生場所であるときには、エレベータを他の安全な階へ避難するための移動手段として利用することが有効となる。
【０００７】
この場合、避難者はまずエレベータ乗場に移動し、乗場操作盤のかご呼びボタンを操作してかご呼びを登録し、かごの到着を待つことになる。ところが、火災発生による煙がエレベータ乗場に流れ込むことが当然予想される。エレベータ乗場に煙が流れ込むと、その煙はエレベータ乗場の天井部から徐々に下層部にまで充満し、そのため避難者は煙を吸引しないように腰をかがめたり腹這いになる低い姿勢で移動せざるを得ない。
【０００８】
ところが、従来では、かご呼びボタンが床面から比較的大きく離れる高い位置にあり、このためそのかご呼びボタンが煙で霞んで見えずらくなるばかりでなく、低い姿勢をとるため手が届かず、操作ができなくなり、またインジケータを見ることもできなくなる恐れがある。
【課題を解決するための手段】
【０００９】
このような課題を解決するために、請求項１の発明は、建屋のエレベータ乗場に設けられ、かご呼びボタンを備える通常の乗場操作盤とは別に、その乗場操作盤よりも下方で、前記エレベータ乗場の床面の近傍の高さ位置に配置される非常用操作盤を備え、前記非常用操作盤に少なくともかご呼び用の操作部が設けられていることを特徴としている。
【００１０】
請求項２の発明は、前記非常用操作盤には、前記かご呼び用の操作部と併せて、避難用の情報を表示することが可能な情報表示部が設けられていることを特徴としている。
【００１１】
請求項３の発明は、前記エレベータ乗場には、前記非常用操作盤と併せて、避難用の情報を音声により報知することが可能な報知手段が設けられていることを特徴としている。
【００１２】
請求項４の発明は、前記エレベータ乗場の床面には、前記かご呼び用の操作部に対する操作に応じてかごが前記エレベータ乗場に到着した際に、その到着を振動動作により報知することが可能な振動部が設けられていることを特徴としている。
【００１３】
請求項５の発明は、前記エレベータ乗場の非常用操作盤におけるかご呼び用の操作部が操作されたときに、かごをそのエレベータ乗場に移動させ、その後にそのかごを自動的にそのエレベータ乗場から離れる避難階に移動させる誘導用の制御を行なう制御手段を備えることを特徴としている。
【００１４】
請求項６の発明は、前記エレベータ乗場の非常用操作盤におけるかご呼び用の操作部が操作され、かごが前記エレベータ乗場に到着する際に、前記報知手段及び振動部を動作させる報知用の制御を行なう制御手段を備えることを特徴としている。
【図面の簡単な説明】
【００１５】
【図１】この発明の第１の実施形態に係るエレベータ乗場の操作装置を示す斜視図。
【図２】この発明の第２の実施形態に係るエレベータ乗場の操作装置を示す斜視図。
【図３】その操作装置における非常用操作盤の正面図。
【図４】その操作装置の制御回路の構成を示すブロック図。
【発明を実施するための形態】
【００１６】
以下、この発明の実施の形態について図面を参照して説明する。
【００１７】
図１には第１の実施形態を示してある。建屋のエレベータ乗場１の壁面２には乗降口３が設けられている。乗降口３には門形の三方枠４が据え付けられている。乗降口３はその背方側の昇降路に通じており、通常時にはドア装置５により閉鎖され、昇降路を上下に移動するかごがエレベータ乗場１に着床停止したときに、ドア装置５が開き、乗降口３を通してそのかごに対する乗降が可能となる。
【００１８】
三方枠４の上部には、例えば光学式のインジケータ１０が設けられ、このインジケータ１０にかごの現在位置及び移動方向が表示される。また、三方枠４の脇の壁面２には、一般用の通常の操作盤１１ａと、車いす利用者用の通常の操作盤１１ｂとが取り付けられ、これら操作盤１１ａ，１１ｂにそれぞれかご呼びボタン１２が配設されている。車いす利用者用の操作盤１１ｂは、車いすに乗ったまま操作することができるように、一般用の操作盤１１ａより低い位置に配置されている。
【００１９】
さらに、三方枠４の脇の壁面２には前記通常の操作盤１１ａ，１１ｂとは別に、非常用操作盤１５が設けられている。この非常用操作盤１５は、通常の操作盤１１ａ，１１ｂよりも下方で、エレベータ乗場１の床面の近傍の位置、例えば床面から１０〜２０ｃｍ程度の高さ位置に配置されている。そしてこの非常用操作盤１５には、かご呼び用の操作部としてのかご呼びボタン１６と、かごの現在位置及び移動方向を光学的に表示するインジケータ１７とが設けられている。
【００２０】
次に、この実施形態の作用について述べる。
【００２１】
通常時には、乗客はエレベータ乗場１において一般用や車いす利用者用の通常の操作盤１１ａ，１１ｂのかご呼びボタン１２を操作する。この操作に応じて、かごの運行を制御する制御盤にそのかご呼びの指令が登録され、かごがエレベータ乗場１に移動するように制御される。
【００２２】
かごがエレベータ乗場１に到着して着床すると、乗降口３のドア装置５が開き、したがってエレベータ乗場１の乗客が乗降口３を通ってかごに乗り込む。この後、ドア装置５が閉じ、かごが次の行先階に向って移動する。
【００２３】
一方、ある階のエレベータ乗場１の階床の非常階段付近などで火災が発生したときには、その階の人はエレベータで他の安全な階に避難すべく、エレベータ乗場１に移動する。この際、火災による煙がエレベータ乗場１に流れ込んでいるときには、その煙を吸い込まないように低い姿勢をとることになるが、この実施形態ではエレベータ乗場１の床面近傍の低い位置に非常用操作盤１５が設けられているから、その低い姿勢のまま非常用操作盤１５のかご呼びボタン１６を操作することができる。
【００２４】
そしてかご呼びボタン１６を操作することにより、かごがそのエレベータ乗場１に向って移動する。かごの現在位置と移動方向は非常用操作盤１５のインジケータ１７に表示され、したがってその表示を目視するにより確認することができ、不安なくかごの到着を待つことができる。
【００２５】
エレベータ乗場１にかごが到着して着床したときには、乗降口３のドア装置５が開く。したがってその乗降口３からかごに乗り込み、そのかごで安全な階に移動して避難することができる。  
なお、他の階で火災が発生し、その火災の煙が当該エレベータ乗場１に流れ込んだような場合においても同様の行動で避難することができる。
【００２６】
このように、この実施形態によれば、火災が発生し、煙の吸引を避けるために低い姿勢をとるときでも、その低い姿勢のままかご呼びボタン１６を操作してかごを呼び、そのかごで安全な階に避難することができる。
【００２７】
次に、第２の実施形態について図２乃至図４を参照して説明する。なお、第１の実施形態と同一の構成部分には同一の符号を付して重複する説明を省略する。
【００２８】
この第２の実施形態においては、図２に示すように、エレベータ乗場１の壁面２に非常用操作盤１５とともに、報知手段としてのスピーカー１９が設けられている。これら非常用操作盤１５及びスピーカー１９はエレベータ乗場１の床面の近傍の低い位置に配置されている。
【００２９】
この実施形態における非常用操作盤１５においては、図３に示すように、インジケータ１７として、かごの移動方向を表示する方向表示部１７ａと、かごの位置を表示する位置表示部１７ｂと、所要の情報を文字で表示する情報表示部１７ｃとを備え、さらにこのインジケータ１７と並んでかご呼びボタンとして機能する避難階誘導ボタン２０が設けられている。
【００３０】
また、この実施形態では、図２に示すように、エレベータ乗場１の床面に振動部２１が設けられている。この振動部２１は、非常用操作盤１５及びスピーカー１９の近傍の位置に配置されている。この振動部２１は、前記床面の下に敷設された一定の広がりをもつ振動板２２と、この振動板２２を振動させる駆動機構２３とを備えて構成されている。
【００３１】
さらにこの実施形態においては、三方枠４にエアカーテン装置２５が設けられている。このエアカーテン装置２５は、三方枠４の上枠４ａに形成された複数のエア噴出孔２６と、前記上枠４ａの内側に配設されたエアブロー２７とを備え、複数のエア噴出孔２６は上枠４ａの長手方向に沿う横方向に緻密にかつ均等的に並んで形成されている。そして、エアブロー２７の動作で各エア噴出孔２６からその下方に向けてエアが噴出され、その噴出されるエアにより乗降口３にエアカーテンが形成されるようになっている。
【００３２】
図４にはこのエレベータの制御回路の構成を示してあり、このエレベータはかごの運行を制御する制御手段としての制御盤３０を有し、この制御盤３０に建屋の各階に配設された火災感知器３１、各階のエレベータ乗場１に設けられたインジケータ１７の方向表示部１７ａ、位置表示部１７ｂ、情報表示部１７ｃ、かご呼びボタンとしての避難階誘導ボタン２０、報知手段としてのスピーカー１９、振動部２１の駆動機構２３、エアカーテン装置２５のエアブロー２７が電気的に接続されている。制御盤３０は、かごが昇降する昇降路内、あるいは昇降路の上方の機械室内などに設置されている。
【００３３】
次にこの実施形態の作用について説明する。
【００３４】
建屋のある階で火災が発生し、その火災が火災感知器３１により感知されると、その信号が制御盤３０に送られ、火災の発生が制御盤３０において認識される。火災が発生した階の人は、エレベータで安全な階に避難すべく、その階のエレベータ乗場１に移動する。
【００３５】
この際、火災による煙がエレベータ乗場１に流れ込んでいるときには、その煙を吸い込まないように低い姿勢をとりながら、非常用操作盤１５の近くまで移動し、振動部２１の上に乗り、非常用操作盤１５の避難階誘導ボタン２０を操作する。この操作の信号は制御盤３０に送られ、この信号に基づいて制御盤３０によりかごが火災発生階に移動するように制御されるともに、スピーカー１９を介して、かごが火災発生階に向って移動していることや、消防隊の救助活動の状況や、かごの到着後にそのがごが安全な避難階に自動的に移動することなどの避難用の情報が音声により火災発生階のエレベータ乗場１に流され、さらに同様の内容の避難情報が非常用操作盤１５の情報表示部１７ｃに文字で例えばテロップ式に表示される。
【００３６】
そして、かごが火災発生階に到着する直前に、制御盤３０による制御で火災発生階における振動部２１の駆動機構２３が駆動され、この駆動でエレベータ乗場１の床面の振動部２１が振動し、この振動でかごの到着が知らされる。また、かごが火災発生階に到着する直前に、制御盤３０による制御で火災発生階におけるエアカーテン装置２５のエアブロー２７が駆動され、この駆動で三方枠４の各エア噴出孔２６からエアが噴出し、乗降口３にエアカーテンが形成される。
【００３７】
さらに、かごが火災発生階に到着すると、制御盤３０による制御でその到着がスピーカー１９を介して音声によりエレベータ乗場１に報知され、さらに非常用操作盤１５の情報表示部１７ｃに文字で表示される。
【００３８】
そして、乗降口３のドア装置５が開き、これに応じてエレベータ乗場１からその乗降口３を通って人がかごに乗り込む。この際、乗降口３はエアカーテンで遮蔽されており、したがって人の乗り込みは可能であるがエレベータ乗場１に充満する煙がかごに流入することがほとんどない。
【００３９】
その後、乗降口３のドア装置５が閉じ、前記避難階誘導ボタン２０の操作に基づく情報によりかごが安全な避難階に自動的に移動するように制御盤３０により制御される。そして、かごが安全な避難階に到着し、その避難階の乗降口３のドア装置５が開くことで、かご内の人がその避難階に降りて避難することができる。
【００４０】
このように、この実施形態では、前記第１の実施形態の場合と同様に、火災が発生し、煙の吸引を避けるために低い姿勢をとるときでも、その低い姿勢のまま非常用操作盤１５の避難階誘導ボタン２０を操作してかごを呼び、そのかごで安全な階に避難することができる。
【００４１】
そして、避難する人が火災発生階のエレベータ乗場１でかごの到着を待つときに、避難誘導の情報がスピーカー１９を介して音声で報知されるとともに、非常用操作盤１５の情報表示部１７ｃに文字で表示され、したがって混乱することなく安心してかごを待つことができ、かごの到着後に落ち着いてそのかごに乗り込むことが可能で、また避難情報が文字のみでなく音声でも報知されるため、例えば視覚障害者などであっても容易にその内容を把握することができる。
【００４２】
さらに、かごが火災発生階に到着する直前に、エレベータ乗場１の床面の振動部２１が振動するため、非常用操作盤１５や乗降口３の状況が煙でよく見えないような場合であっても、かごの到着を容易に知ることができる。
【００４３】
なお、非常用操作盤１５やスピーカー１９は床面の近傍の低い位置に設けられているため、平常時に台車などが当ったり、足で蹴られたりする恐れがある。そのため、これら非常用操作盤１５やスピーカー１９を平常時には保護用のカバー部材で覆い、火災感知器が火災を感知したときに、その信号に基づいてそのカバー部材を自動的に開いて非常用操作盤１５やスピーカー１９を露出させるように構成することも可能である。
【００４４】
以上、この発明のいくつかの実施形態を説明したが、これらの実施形態は、例として提示したものであり、発明の範囲を限定することは意図していない。これら新規な実施形態は、その他の様々な形態で実施することが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４５】
１…エレベータ乗場
３…乗降口
４…三方枠
５…ドア装置
１０…インジケータ
１１ａ．１１ｂ…乗場操作盤
１２…かご呼びボタン
１５…非常用操作盤
１６…かご呼びボタン
１７…インジケータ
１７ｃ…情報表示部
１７ａ…方向表示部
１７ｂ…位置表示部
１９…スピーカー
２０…避難階誘導ボタン
２１…振動部
２２…振動板
２３…駆動機構
２５…エアカーテン装置
２６…エア噴出孔
２７…エアブロー
【図１】
2012035972.tif 000003
【図２】
2012035972.tif 000004
【図３】
2012035972.tif 000005
【図４】
2012035972.tif 000006